(57)【要約】記述言語の規格が異なる携帯電話機等の通信端末（３２〜４８）を使用して、手軽に、しかも、詳しい知識のない人でも携帯電話機向けのホームページを作成でき、また、ホームページデータとして多くの情報を保存管理することができ、さらに、多角的に所望のホームページの閲覧ができるホームページ管理システム及び方法である。  Ｗｅｂサーバ（１２）、ホームページデータを保存するデータベース（１４）、通信端末とデータベースを連携させる制御手段（１６）から構成されるシステムであり、ホームページデータを登録・保存するホームページデータ登録段階、ホームページデータを動的に生成し閲覧者に送信するホームページ閲覧段階を実行する。また、ホームページデータが、ホームページ作成者に付与されたログインデータと関連づけてデータベースに保存される。
2004086237.tif 000002
【特許請求の範囲】
【請求項１】
ホームページ作成者の通信端末とホームページ閲覧者の通信端末とネットワークを介してホームページデータの送受信が可能なＷｅｂサーバと、
前記ホームページデータの保存が可能なデータベースと、
前記通信端末からの要求に応じて前記Ｗｅｂサーバと前記データベースとを連携させる制御手段と、を備えるホームページ管理システムであって、
前記制御手段は、前記Ｗｅｂサーバに、
（ａ１）前記通信端末がアクセスしてきた際に、通信端末の機種を識別しその記述言語を認識する機能、
（ａ２）前記認識結果に基づき、アクセスしている通信端末に対する画面表示に必要な記述言語の選定を行う機能、
（ａ３）前記選定された記述言語に基づいて画面表示のための予約語を提供する機能、を実行させる通信端末判別ＣＧＩと、
（ｂ１）前記通信端末に登録画面を表示させるために、コンテンツと予約語とを組み合わせたファイルを生成する機能、
（ｂ２）ホームページ作成者が入力したデータを受信すると、入力データをデータベースに格納する際の適正を判断し、入力データ違反の警告メッセージをホームページ作成者の通信端末に表示したり、または適正に入力されたデータをホームページ作成者の通信端末画面に表示してホームページ作成者に確認させる確認画面を表示する機能、
（ｂ３）ホームページ作成者により適正に入力されたデータを受信すると、入力項目と入力データとを関連づけて、受信したデータをデータベース管理システムの決められた部分に格納するための指示を行う機能、を実行させるためのホームページデータ登録用ＣＧＩと、
（ｃ１）ホームページ閲覧者の通信端末に検索画面や閲覧画面を表示させるために、コンテンツと予約語とを組み合わせたファイルを生成する機能、
（ｃ２）ホームページ閲覧者が希望するホームページを特定するデータを収集し、データベースに対するクエリーを実行する機能、
（ｃ３）クエリーにより抽出されたデータを表示するために、コンテンツと予約語とを組み合わせたファイルを生成する機能、を実行させるためのホームページ閲覧用ＣＧＩと、
を有することを特徴とするホームページ管理システム。
【請求項２】
前記ホームページデータが、前記ホームページ作成者に付与されたユーザＩＤおよび／またはパスワードに関連づけて保存されることを特徴とする請求項１に記載のホームページ管理システム。
【請求項３】
前記ホームページ作成者の通信端末が、携帯電話機であることを特徴とする請求項１に記載のホームページ管理システム。
【請求項４】
前記ホームページ閲覧者により送信されたホームページ特定データが、ホームページアドレスであることを特徴とする請求項１に記載のホームページ管理システム。
【請求項５】
前記ホームページ閲覧者により送信されたホームページ特定データが、ホームページの構成要素を対象とした検索単語であることを特徴とする請求項１に記載のホームページ管理システム。
【請求項６】
前記ホームページ閲覧者の通信端末が、携帯電話機、パーソナル・コンピューター、ＰＤＡ、またはゲーム機器であることを特徴とする請求項１に記載のホームページ管理システム。
【請求項７】
前記Ｗｅｂサーバは、ミドルウェアを有し、
前記ミドルウェアが、前記Ｗｅｂサーバと前記通信端末とを連動させて、該通信端末の規格やＯＳ（オペレーティング・システム）などの通信環境の違いに左右されずに、ネットワークを介してホームページデータを送受信する機能を、該Ｗｅｂサーバに実行させることを特徴とする請求項１に記載のホームページ管理システム。
【請求項８】
前記ミドルウェアが、Ｊａｖａ（Ｒ）であることを特徴とする請求項７に記載のホームページ管理システム。
【請求項９】
前記Ｗｅｂサーバは、アプレットを有し、
前記アプレットが、前記通信端末にダウンロードされ、前記Ｗｅｂサーバと前記通信端末とを連動させて、該通信端末の規格やＯＳ（オペレーティング・システム）などの通信環境の違いに左右されずにネットワークを介してホームページデータを送受信する機能を、該通信端末に実行させることを特徴とする請求項１に記載のホームページ管理システム。
【請求項１０】
前記アプレットが、Ｊａｖａ（Ｒ）アプレットであることを特徴とする請求項９に記載のホームページ管理システム。
【請求項１１】
前記通信端末が、Ｊａｖａ仮想マシンを備えていることを特徴とする請求項１、３または６に記載のホームページ管理システム。
【請求項１２】
前記Ｗｅｂサーバは、プラグイン・ソフトを有し、
前記通信端末と連動してブラウザ機能を拡張させることを特徴とする請求項１に記載のホームページ管理システム。
【請求項１３】
前記通信端末が、プラグイン・ソフトが組み込まれたＷｅｂブラウザを搭載していることを特徴とする請求項３または６に記載のホームページ管理システム。
【請求項１４】
ネットワークを介して通信端末とホームページデータの送受信が可能なＷｅｂサーバと、前記ホームページデータの保存が可能なデータベースと、前記通信端末からの要求に応じて該Ｗｅｂサーバと前記データベースとを連携させる制御手段とを備え、
前記制御手段が、前記通信端末のＷｅｂブラウザからの要求によりＷｅｂサーバを介して起動されて、該通信端末の記述言語に関する所定の機能を実行させる通信端末判別ＣＧＩと、前記通信端末のＷｅｂブラウザからの要求によりＷｅｂサーバを介して起動されて前記ホームページ作成者から送信されたホームページデータを、データベースに格納するための所定の機能を実行させるホームページデータ登録用ＣＧＩとを有するシステムにおけるホームページ管理方法であって、
前記システムは、ホームページ作成者のホームページデータを保存するホームページデータ登録段階において、
前記ホームページ作成者が通信端末を用いて、ネットワークを介してＷｅｂサーバにアクセスしたときに、通信端末判別ＣＧＩが、アクセスしている通信端末の記述言語を認識する言語認識段階と、
前記言語認識段階において認識された記述言語に対応するログイン画面を、Ｗｅｂサーバによりネットワークを介してホームページ作成者の通信端末に送信するログイン画面送信段階と、
前記ログイン画面送信段階で送信したログイン画面をホームページ作成者の通信端末に表示し、次いで、ホームページ作成者により、ログイン画面を用いて入力されたログインデータを送信させて、この送信されたログインデータを前記Ｗｅｂサーバで受信するとともに、ホームページ作成者がシステムにログインするのを許可された者であるか否かをＷｅｂサーバにより判別するユーザ判別段階と、
前記ユーザ判別段階において、ホームページ作成者が、システムにログインするのを許可された者であると確認した場合には、前記言語認識段階で認識された記述言語に対応するホームページデータ入力画面を、Ｗｅｂサーバによりネットワークを介してホームページ作成者の通信端末に送信するデータ入力画面送信段階と、
前記データ入力画面送信段階で送信したデータ入力画面をホームページ作成者の通信端末に表示し、次いで、ホームページ作成者により、データ入力画面を用いて入力されたホームページデータを送信させて、この送信されたホームページデータを前記Ｗｅｂサーバで受信するデータ受信段階と、
前記データ受信段階にて受信したホームページデータを、ホームページデータ登録用ＣＧＩの指示に従い、ホームページ作成者に付与されたログインデータと関連づけるとともに、データベースに格納するデータ保存段階と
を実行することを特徴とするホームページ管理方法。
【請求項１５】
前記データ保存段階において、ホームページデータを、前記ホームページ作成者に付与されたユーザＩＤおよび／またはパスワードに関連づけて保存することを特徴とする請求項１４に記載のホームページ管理方法。
【請求項１６】
前記ホームページ作成者の通信端末が、携帯電話機であることを特徴とする請求項１４に記載のホームページ管理方法。
【請求項１７】
前記Ｗｅｂサーバは、ミドルウェアを有し、
前記ミドルウェアが、前記Ｗｅｂサーバと前記通信端末とを連動させて、該通信端末の規格やＯＳ（オペレーティング・システム）などの通信環境の違いに左右されずに、ネットワークを介してホームページデータを送受信する機能を、該Ｗｅｂサーバに実行させることを特徴とする請求項１４に記載のホームページ管理方法。
【請求項１８】
前記ミドルウェアが、Ｊａｖａ（Ｒ）であることを特徴とする請求項１４に記載のホームページ管理方法。
【請求項１９】
前記Ｗｅｂサーバは、アプレットを有し、
前記アプレットが、前記通信端末にダウンロードされ、前記Ｗｅｂサーバと前記通信端末とを連動させて、該通信端末の規格やＯＳ（オペレーティング・システム）などの通信環境の違いに左右されずにネットワークを介してホームページデータを送受信する機能を、該通信端末に実行させることを特徴とする請求項１４に記載のホームページ管理方法。
【請求項２０】
前記アプレットが、Ｊａｖａ（Ｒ）アプレットであることを特徴とする請求項１９に記載のホームページ管理方法。
【請求項２１】
前記通信端末が、Ｊａｖａ仮想マシンを備えていることを特徴とする請求項１４または１６に記載のホームページ管理方法。
【請求項２２】
前記Ｗｅｂサーバは、プラグイン・ソフトを有し、
前記通信端末と連動してブラウザ機能を拡張させることを特徴とする請求項１４に記載のホームページ管理方法。
【請求項２３】
前記通信端末が、プラグイン・ソフトが組み込まれたＷｅｂブラウザを搭載していることを特徴とする請求項１４または１６に記載のホームページ管理方法。
【請求項２４】
ネットワークを介して通信端末とホームページデータの送受信が可能なＷｅｂサーバと、前記ホームページデータの保存が可能なデータベースと、前記通信端末からの要求に応じて前記Ｗｅｂサーバと前記データベースとを連携させる制御手段とを備え、
前記制御手段が、前記通信端末のＷｅｂブラウザからの要求によりＷｅｂサーバを介して起動されて、該通信端末の記述言語に関する所定の機能を実行させる通信端末判別ＣＧＩと、前記通信端末のＷｅｂブラウザからの要求によりＷｅｂサーバを介して起動され、前記ホームページ閲覧者からの要求に従い、所望のホームページを送信するための所定の機能を実行させるホームページデータ閲覧用ＣＧＩとを有するシステムにおけるホームページ管理方法であって、
前記システムは、ホームページ閲覧者の要求に従い所望のホームページデータを該閲覧者に送信するホームページ閲覧段階において、
前記ホームページ閲覧者が通信端末を用いて、要求するホームページが特定されるデータを、ネットワークを介して送信したときに、通信端末判別ＣＧＩにより、通信端末の記述言語を判別するとともに、Ｗｅｂサーバにより、ホームページ閲覧者が要求するホームページが特定されるデータを受信する特定データ受信段階と、
前記特定データ受信段階で受信したホームページ特定データにより特定されるホームページが、データベースに登録されているか否かをＷｅｂサーバにより判別するホームページ判別段階と、
前記ホームページ判別段階にて、ホームページがデータベースに登録されていると判別したときには、ホームページデータ閲覧用ＣＧＩの指示に従いＷｅｂサーバがデータベースからホームページデータを抽出し、抽出されたホームページデータをネットワークを介して、前記ホームページ閲覧者の通信端末に送信するホームページ送信段階と、
を実行することを特徴とするホームページ管理方法。
【請求項２５】
ネットワークを介して通信端末とホームページデータの送受信が可能なＷｅｂサーバと、前記ホームページデータの保存が可能なデータベースと、前記通信端末からの要求に応じて前記Ｗｅｂサーバと前記データベースとを連携させる制御手段とを備え、
前記制御手段が、前記通信端末のＷｅｂブラウザからの要求によりＷｅｂサーバを介して起動されて、該通信端末の記述言語に関する所定の機能を実行させる通信端末判別ＣＧＩと、前記通信端末のＷｅｂブラウザからの要求によりＷｅｂサーバを介して起動され、前記ホームページ閲覧者からの要求に従い、所望のホームページを送信するための所定の機能を実行させるホームページデータ閲覧用ＣＧＩとを有するシステムにおけるホームページ管理方法であって、
前記システムは、ホームページ閲覧者の要求に従い、所望のホームページデータを該閲覧者に送信するホームページ閲覧段階において、
前記ホームページ閲覧者が通信端末を用いて、ネットワークを介してＷｅｂサーバにアクセスしたときに、通信端末判別ＣＧＩが、アクセスしている通信端末の記述言語を認識する言語認識段階と、
前記言語認識段階で認識された記述言語に対応する、ホームページを特定させるため入力画面を、Ｗｅｂサーバによりネットワークを介して該通信端末に送信するホームページ特定画面送信段階と、
前記ホームページ特定画面送信段階で送信したホームページ特定画面をホームページ閲覧者の通信端末に表示し、次いで、ホームページ閲覧者が、このホームページ特定画面を用いて入力した特定のホームページを示すホームページ特定データを送信させて、この送信されたホームページ特定データを前記Ｗｅｂサーバで受信する特定データ受信段階と、
前記特定データ受信段階で受信したホームページ特定データにより特定されるホームページが、データベースに登録されているか否かを、ホームページデータ閲覧用ＣＧＩの指示に従いＷｅｂサーバにより検索するホームページ検索段階と、
前記ホームページ検索段階で検索された検索結果を、Ｗｅｂサーバによりネットワークを介してホームページ閲覧者の通信端末に送信する検索結果送信段階と、
前記検索結果送信段階で送信した検索結果画面を、ホームページ閲覧者の通信端末に表示するとともに、ホームページ閲覧者により、この検索結果から選択された所望のホームページの選択結果を送信させて、この選択結果を前記Ｗｅｂサーバで受信する選択結果受信段階と、
前記選択結果受信段階にて、選択された結果に基づきホームページデータ閲覧用ＣＧＩの指示に従いＷｅｂサーバがデータベースからホームページデータを抽出し、抽出されたホームページデータをネットワークを介して、前記ホームページ閲覧者の通信端末に送信するホームページ送信段階と、
を実行することを特徴とするホームページ管理方法。
【請求項２６】
前記特定データ受信段階において、ホームページ閲覧者により送信されたホームページ特定データが、ホームページアドレスであることを特徴とする請求項２４に記載のホームページ管理方法。
【請求項２７】
前記特定データ受信段階において、ホームページ閲覧者により送信されたホームページ特定データが、ホームページの構成要素を対象とした検索単語であることを特徴とする請求項２５に記載のホームページ管理方法。
【請求項２８】
前記ホームページ閲覧者の通信端末が、携帯電話機、パーソナル・コンピューター、ＰＤＡ、またはゲーム機器であることを特徴とする請求項２４または２５に記載のホームページ管理方法。
【請求項２９】
前記Ｗｅｂサーバは、ミドルウェアを有し、
前記ミドルウェアが、前記Ｗｅｂサーバと前記通信端末とを連動させて、該通信端末の規格やＯＳ（オペレーティング・システム）などの通信環境の違いに左右されずに、ネットワークを介してホームページデータを送受信する機能を、該Ｗｅｂサーバに実行させることを特徴とする請求項２４または２５に記載のホームページ管理方法。
【請求項３０】
前記ミドルウェアが、Ｊａｖａ（Ｒ）であることを特徴とする請求項２９に記載のホームページ管理方法。
【請求項３１】
前記Ｗｅｂサーバは、アプレットを有し、
前記アプレットが、前記通信端末にダウンロードされ、前記Ｗｅｂサーバと前記通信端末とを連動させて、該通信端末の規格やＯＳ（オペレーティング・システム）などの通信環境の違いに左右されずにネットワークを介してホームページデータを送受信する機能を、該通信端末に実行させることを特徴とする請求項２４または２５に記載のホームページ管理方法。
【請求項３２】
前記アプレットが、Ｊａｖａ（Ｒ）アプレットであることを特徴とする請求項３１に記載のホームページ管理方法。
【請求項３３】
前記通信端末が、Ｊａｖａ仮想マシンを備えていることを特徴とする請求項２４、２５または２８に記載のホームページ管理方法。
【請求項３４】
前記Ｗｅｂサーバは、プラグイン・ソフトを有し、
前記通信端末と連動してブラウザ機能を拡張させることを特徴とする請求項２４または２５に記載のホームページ管理方法。
【請求項３５】
前記通信端末が、プラグイン・ソフトが組み込まれたＷｅｂブラウザを搭載していることを特徴とする請求項２４、２５または２８に記載のホームページ管理方法。
【請求項３６】
ホームページ管理システムが、請求項１４〜２３のいずれかに記載のホームページデータ登録段階、および請求項２４〜３５のいずれかに記載のホームページ閲覧段階を実行することを特徴とするホームページ管理方法。
【発明の詳細な説明】
【技術分野】  本発明は、通信端末を用いて作成されたホームページデータをデータベースを用いて保存するとともに、要求に応じてデータベースに保存されたデータを通信端末に送信するホームページ管理システムおよびホームページ管理方法に関する。
【背景技術】  近年、インターネットサービスが普及するに伴い、サイトに各種のホームページが開設されるようになってきており、これらから多くの情報が発信されている。したがって、所望の情報を得たい場合には、ホームページにアクセスすることによってその情報を入手することができる。
また、通信端末が、複数の人との情報交換や意見交換といったコミュニケーションに用いられるようになるにしたがい、個人で多数の人に情報や意見を発信する必要が生じてきている。そのような問題を解決するため、個人でホームページを開設し、ホームページに情報や意見を掲載し、多くの人にホームページにアクセスさせることにより、情報や意見を発信することができる。さらに、情報や意見を更新・変更する場合には、その度毎に個人に送信する必要がなく、更新・変更された情報や意見を掲載するだけで情報や意見を発信することができる。
さらに、近年では、通信端末として携帯電話機が普及し、携帯電話機が情報交換や意見交換といったコミュニケーションに広く用いられるにしたがい、携帯電話機で閲覧可能なホームページを携帯電話機やパーソナル・コンピューターで作成するシステムが提供されている。
そのようなものとして、日本国特開２００１−１４２８２０号公報には、携帯電話機のメール機能を用いてホームページを作成するシステムが開示されている。
しかしながら、そのホームページを作成する過程は、発明当時における携帯電話機の機械的制約もあり、複雑で使いにくいものであった。さらに日本には携帯電話機会社３社の規格（記述言語）の違いがあり、各規格に合ったホームページをそれぞれ作成しなければならないという問題があった。
このような問題を解決するものとして、日本国特開２００２−１４８５２号公報には、携帯電話機の種類を判別し、所望のホームページのデータファイルを、この携帯電話機のブラウザで判読可能なファイル形式に変換して前記通信端末へ提供する方法が開示されている。
しかしながら、この方法は、携帯電話機の規格（記述言語）の違いがあっても、ホームページを閲覧することができると記載されているものの、どのようにしてホームページデータが管理されているか不明であり、またホームページを書き換える場合には、ホームページ全体を書き換える必要があった。
そこで本発明は、規格（記述言語）の違う携帯電話機を使用しても、手軽に作成でき、しかも詳しい知識のない人でも容易に携帯電話機向けのホームページを作成でき、また、ホームページデータがデータベースを用いて管理されているため多くの情報を保存管理することができ、さらに、所望のホームページを多角的・動的に閲覧できるホームページ管理システムおよびホームページ管理方法を提供することを目的としている。
【発明の開示】
本発明に係るホームページ管理システムは、ホームページ作成者の通信端末とホームページ閲覧者の通信端末とネットワークを介してホームページデータの送受信が可能なＷｅｂサーバと、
前記ホームページデータの保存が可能なデータベースと、
前記通信端末からの要求に応じて前記Ｗｅｂサーバと前記データベースとを連携させる制御手段と、を備えるホームページ管理システムであって、
前記制御手段は、前記Ｗｅｂサーバに、
（ａ１）前記通信端末がアクセスしてきた際に、通信端末の機種を識別しその記述言語を認識する機能、
（ａ２）前記認識結果に基づき、アクセスしている通信端末に対する画面表示に必要な記述言語の選定を行う機能、
（ａ３）前記選定された記述言語に基づいて画面表示のための予約語を提供する機能、を実行させる通信端末判別ＣＧＩ（Ｃｏｍｍｏｎ  Ｇａｔｅｗａｙ  Ｉｎｔｅｒｆａｃｅ）と、
（ｂ１）前記通信端末に登録画面を表示させるために、コンテンツと予約語とを組み合わせたファイルを生成する機能、
（ｂ２）ホームページ作成者が入力したデータを受信すると、入力データをデータベースに格納する際の適正を判断し、入力データ違反の警告メッセージをホームページ作成者の通信端末に表示したり、または適正に入力されたデータをホームページ作成者の通信端末画面に表示してホームページ作成者に確認させる確認画面を表示する機能、
（ｂ３）ホームページ作成者により適正に入力されたデータを受信すると、入力項目と入力データとを関連づけて、受信したデータをデータベース管理システムの決められた部分に格納するための指示を行う機能、を実行させるためのホームページデータ登録用ＣＧＩと、
（ｃ１）ホームページ閲覧者の通信端末に検索画面や閲覧画面を表示させるために、コンテンツと予約語とを組み合わせたファイルを生成する機能、
（ｃ２）ホームページ閲覧者が希望するホームページを特定するデータを収集し、データベースに対するクエリーを実行する機能、
（ｃ３）クエリーにより抽出されたデータを表示するために、コンテンツと予約語とを組み合わせたファイルを生成する機能、を実行させるためのホームページ閲覧用ＣＧＩと、を有することを特徴とする。
本発明に係るホームページ管理方法は、ネットワークを介して通信端末とホームページデータの送受信が可能なＷｅｂサーバと、前記ホームページデータの保存が可能なデータベースと、前記通信端末からの要求に応じて該Ｗｅｂサーバと前記データベースとを連携させる制御手段とを備え、
前記制御手段が、前記通信端末のＷｅｂブラウザからの要求によりＷｅｂサーバを介して起動されて、該通信端末の記述言語に関する所定の機能を実行させる通信端末判別ＣＧＩと、前記通信端末のＷｅｂブラウザからの要求によりＷｅｂサーバを介して起動されて前記ホームページ作成者から送信されたホームページデータを、データベースに格納するための所定の機能を実行させるホームページデータ登録用ＣＧＩとを有するシステムにおけるホームページ管理方法であって、
前記システムは、ホームページ作成者のホームページデータを保存するホームページデータ登録段階において、
前記ホームページ作成者が通信端末を用いて、ネットワークを介してＷｅｂサーバにアクセスしたときに、通信端末判別ＣＧＩが、アクセスした通信端末の記述言語を認識する言語認識段階と、
前記言語認識段階において認識された記述言語に対応するログイン画面を、Ｗｅｂサーバによりネットワークを介してホームページ作成者の通信端末に送信するログイン画面送信段階と、
前記ログイン画面送信段階で送信したログイン画面をホームページ作成者の通信端末に表示し、次いで、ホームページ作成者により、ログイン画面を用いて入力されたログインデータを送信させて、この送信されたログインデータを前記Ｗｅｂサーバで受信するとともに、ホームページ作成者がシステムにログインするのを許可された者であるか否かをＷｅｂサーバにより判別するユーザ判別段階と、
前記ユーザ判別段階において、ホームページ作成者が、システムにログインするのを許可された者であると確認した場合には、前記言語認識段階で認識された記述言語に対応するホームページデータ入力画面を、Ｗｅｂサーバによりネットワークを介してホームページ作成者の通信端末に送信するデータ入力画面送信段階と、
前記データ入力画面送信段階で送信したデータ入力画面をホームページ作成者の通信端末に表示し、次いで、ホームページ作成者により、データ入力画面を用いて入力されたホームページデータを送信させて、この送信されたホームページデータを前記Ｗｅｂサーバで受信するデータ受信段階と、
前記データ受信段階にて受信したホームページデータを、ホームページデータ登録用ＣＧＩの指示に従い、ホームページ作成者に付与されたログインデータと関連づけるとともに、データベースに格納するデータ保存段階と
を実行することを特徴とする。
本発明に係るホームページ管理方法は、ネットワークを介して通信端末とホームページデータの送受信が可能なＷｅｂサーバと、前記ホームページデータの保存が可能なデータベースと、前記通信端末からの要求に応じて前記Ｗｅｂサーバと前記データベースとを連携させる制御手段とを備え、
前記制御手段が、前記通信端末のＷｅｂブラウザからの要求によりＷｅｂサーバを介して起動されて、該通信端末の記述言語に関する所定の機能を実行させる通信端末判別ＣＧＩと、前記通信端末のＷｅｂブラウザからの要求によりＷｅｂサーバを介して起動され、前記ホームページ閲覧者からの要求に従い、所望のホームページを送信するための所定の機能を実行させるホームページデータ閲覧用ＣＧＩとを有するシステムにおけるホームページ管理方法であって、
前記システムは、ホームページ閲覧者の要求に従い所望のホームページデータを該閲覧者に送信するホームページ閲覧段階において、
前記ホームページ閲覧者が通信端末を用いて、要求するホームページが特定されるデータを、ネットワークを介して送信したときに、通信端末判別ＣＧＩにより、通信端末の記述言語を判別するとともに、Ｗｅｂサーバにより、ホームページ閲覧者が要求するホームページが特定されるデータを受信する特定データ受信段階と、
前記特定データ受信段階で受信したホームページ特定データにより特定されるホームページが、データベースに登録されているか否かをＷｅｂサーバにより判別するホームページ判別段階と、
前記ホームページ判別段階にて、ホームページがデータベースに登録されていると判別したときには、ホームページデータ閲覧用ＣＧＩの指示に従いＷｅｂサーバがデータベースからホームページデータを抽出し、抽出されたホームページデータをネットワークを介して、前記ホームページ閲覧者の通信端末に送信するホームページ送信段階と、を実行することを特徴とする。
さらに、本発明に係るホームページ管理方法は、ネットワークを介して通信端末とホームページデータの送受信が可能なＷｅｂサーバと、前記ホームページデータの保存が可能なデータベースと、前記通信端末からの要求に応じて前記Ｗｅｂサーバと前記データベースとを連携させる制御手段とを備え、
前記制御手段が、前記通信端末のＷｅｂブラウザからの要求によりＷｅｂサーバを介して起動されて、該通信端末の記述言語に関する所定の機能を実行させる通信端末判別ＣＧＩと、前記通信端末のＷｅｂブラウザからの要求によりＷｅｂサーバを介して起動され、前記ホームページ閲覧者からの要求に従い、所望のホームページを送信するための所定の機能を実行させるホームページデータ閲覧用ＣＧＩとを有するシステムにおけるホームページ管理方法であって、
前記システムは、ホームページ閲覧者の要求に従い、所望のホームページデータを該閲覧者に送信するホームページ閲覧段階において、
前記ホームページ閲覧者が通信端末を用いて、ネットワークを介してＷｅｂサーバにアクセスしたときに、通信端末判別ＣＧＩが、アクセスしている通信端末の記述言語を認識する言語認識段階と、
前記言語認識段階で認識された記述言語に対応する、ホームページを特定させるため入力画面を、Ｗｅｂサーバによりネットワークを介して該通信端末に送信するホームページ特定画面送信段階と、
前記ホームページ特定画面送信段階で送信したホームページ特定画面をホームページ閲覧者の通信端末に表示し、次いで、ホームページ閲覧者が、このホームページ特定画面を用いて入力した特定のホームページを示すホームページ特定データを送信させて、この送信されたホームページ特定データを前記Ｗｅｂサーバで受信する特定データ受信段階と、
前記特定データ受信段階で受信したホームページ特定データにより特定されるホームページが、データベースに登録されているか否かを、ホームページデータ閲覧用ＣＧＩの指示に従いＷｅｂサーバにより検索するホームページ検索段階と、
前記ホームページ検索段階で検索された検索結果を、Ｗｅｂサーバによりネットワークを介してホームページ閲覧者の通信端末に送信する検索結果送信段階と、
前記検索結果送信段階で送信した検索結果画面を、ホームページ閲覧者の通信端末に表示するとともに、ホームページ閲覧者により、この検索結果から選択された所望のホームページの選択結果を送信させて、この選択結果を前記Ｗｅｂサーバで受信する選択結果受信段階と、
前記選択結果受信段階にて、選択された結果に基づきホームページデータ閲覧用ＣＧＩの指示に従いＷｅｂサーバがデータベースからホームページデータを抽出し、抽出されたホームページデータをネットワークを介して、前記ホームページ閲覧者の通信端末に送信するホームページ送信段階と、を実行することを特徴とする。
前記ホームページデータが、前記ホームページ作成者に付与されたユーザＩＤおよび／またはパスワードに関連づけて保存されることが好ましい。
前記ホームページ作成者の通信端末が、携帯電話機であることが好ましい。
前記ホームページ閲覧者により送信されたホームページ特定データが、ホームページアドレスであることが好ましい。
前記ホームページ閲覧者により送信されたホームページ特定データが、ホームページの構成要素を対象とした検索単語であることも好ましい。
前記ホームページ閲覧者の通信端末が、携帯電話機、パーソナル・コンピューター、ＰＤＡ（Ｐｅｒｓｏｎａｌ  Ｄｉｇｉｔａｌ  Ａｓｓｉｓｔａｎｔ）、またはゲーム機器であることが好ましい。
前記Ｗｅｂサーバは、ミドルウェアを有し、
前記ミドルウェアが、前記Ｗｅｂサーバと前記通信端末とを連動させて、該通信端末の規格やＯＳ（オペレーティング・システム）などの通信環境の違いに左右されずに、ネットワークを介してホームページデータを送受信する機能を、該Ｗｅｂサーバに実行させることが好ましい。
前記ミドルウェアが、Ｊａｖａ（Ｒ）であることが好ましい。
また、前記Ｗｅｂサーバは、アプレットを有し、
前記アプレットが、前記通信端末にダウンロードされ、前記Ｗｅｂサーバと前記通信端末とを連動させて、該通信端末の規格やＯＳ（オペレーティング・システム）などの通信環境の違いに左右されずにネットワークを介してホームページデータを送受信する機能を、該通信端末に実行させることも好ましい。
前記アプレットが、Ｊａｖａ（Ｒ）アプレットであることが好ましい。
前記通信端末が、Ｊａｖａ仮想マシンを備えていることが好ましい。
また、前記Ｗｅｂサーバは、プラグイン・ソフトを有し、前記通信端末と連動してブラウザ機能を拡張させることが望ましい。
前記通信端末が、プラグイン・ソフトが組み込まれたＷｅｂブラウザを搭載していることも好ましい。
【図面の簡単な説明】  図１は、本発明に係るホームページ管理システムの実施態様を示すブロック図である。
図２は、本発明に係るホームページ管理システムのホームページデータ登録段階を示すフローチャートである。
図３（ａ）〜（ｃ）は、ホームページデータ登録段階において、ホームページ作成者の携帯電話機の表示部に表示される画面を示す図である。
図４（ａ）〜（ｃ）は、ホームページデータ登録段階において、ホームページ作成者の携帯電話機の表示部に表示される画面を示す図である。
図５（ａ）〜（ｃ）は、ホームページデータ登録段階において、ホームページ作成者の携帯電話機の表示部に表示される画面を示す図である。
図６は、ホームページデータ登録段階において、ホームページ作成者の携帯電話機の表示部に表示される画面を示す図である。
図７は、データベースにおける、ホームページデータの保存状態を模式的に示した図である。
図８は、本発明に係るホームページ管理システムのホームページ閲覧段階の第１の実施態様を示すフローチャートである。
図９（ａ）〜（ｃ）は、ホームページ閲覧段階において、ホームページ閲覧者の携帯電話機の表示部に表示される画面を示す図である。
図１０（ａ）、（ｂ）は、ホームページ閲覧段階において、ホームページ閲覧者の携帯電話機の表示部に表示される画面を示す図である。
図１１（ａ）〜（ｃ）は、ホームページ閲覧段階においてホームページ閲覧者の携帯電話機の表示部に表示される画面を示す図である。
図１２（ａ）〜（ｃ）は、ホームページ閲覧段階において、ホームページ閲覧者の携帯電話機の表示部に表示される画面を示す図である。
図１３は、本発明に係るホームページ管理システムのホームページ閲覧段階の第２の実施態様を示すフローチャートである。
図１４（ａ）〜（ｃ）は、ホームページ閲覧段階において、ホームページ閲覧者の携帯電話機の表示部に表示される画面を示す図である。
【符号の説明】
１０    ホームページ管理システム
１２    Ｗｅｂサーバ
１４    データベース
１４ａ  顧客管理データベース
１４ｂ  ツールキットデータベース
１６    制御手段
１６ａ  通信端末判別ＣＧＩ
１６ｂ  ホームページデータ登録用ＣＧＩ
１６ｃ  ホームページ閲覧用ＣＧＩ
２０    ネットワーク
３２，４２  携帯電話機
３４，４４  ＰＤＡ
４６    パーソナル・コンピューター
４８    ゲーム機器
【発明を実施するための最良の形態】  以下、本発明に係るホームページ管理システムおよびホームページ管理方法の実施態様について、図面を参照しながら詳細に説明する。
＜ホームページ管理システム＞
図１に示したように、本発明に係るホームページ管理システム１０は、ネットワークを介して通信端末とホームページデータの送受信が可能なＷｅｂサーバ１２と、前記ホームページデータの保存が可能なデータベース１４と、前記通信端末からの要求に応じてＷｅｂサーバ１２とデータベース１４とを連携させる制御手段１６とを基本的に備えるホームページ管理システムである。
ホームページ管理システム１０は、これらの他にも、図示しないアプリケーションサーバや電子メールサーバ等を有していてもよい。
ホームページ管理システム１０においては、Ｗｅｂサーバ１２と、制御手段１６と、データデース１４とが、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等の情報通信網で接続される。
また、ホームページ管理システム１０は、図１に示したように、適当なネットワーク２０、例えば、インターネットを通じて、ホームページ作成者の通信端末やホームページ閲覧者の通信端末と接続している。
このホームページ作成者は通信端末、例えば携帯電話機３２やＰＤＡ（Ｐｅｒｓｏｎａｌ  Ｄｉｇｉｔａｌ  Ａｓｓｉｓｔａｎｔ）３４などを用いてネットワーク２０と接続しており、一方、ホームページ閲覧者は通信端末、例えば携帯電話機４２、ＰＤＡ４４、パーソナル・コンピューター（以下、パソコンともいう）４６、ゲーム機器４８などを用いてネットワーク２０と接続している。
本発明に用いられる携帯電話機の記述言語は、特に限定されず、Ｃ−ＨＴＭＬ（Ｃｏｍｐａｃｔ  Ｈｙｐｅｒ  Ｔｅｘｔ  Ｍａｒｋｕｐ  Ｌａｎｇｕａｇｅ）、ＨＤＭＬ（Ｈａｎｄｈｅｌｄ  Ｄｅｖｉｃｅ  Ｍａｒｋｕｐ  Ｌａｎｇｕａｇｅ）、ＭＭＬ（Ｍｏｂｉｌｅ  Ｍａｒｋｕｐ  Ｌａｎｇｕａｇｅ）などのいずれの記述言語であってもよい。つまり、本発明のホームページ管理システム１０は、いずれの記述言語を用いた携帯電話機であっても、ホームページを作成し、ホームページデータを登録し、さらにホームページを閲覧することができる。
さらに、データベース１４は、ホームページ作成者（顧客）が入力したホームページデータを顧客ごとに管理する顧客管理データ保存手段である顧客管理データベース１４ａと、ホームページ閲覧者に送信する画面やホームページ作成ツールなどを保存するツールキットデータベース１４ｂとを備える。
顧客管理データベース１４ａは、図７に示したように、ホームページ作成者（顧客）が選択、入力したホームページデータを、ホームページ作成者が有するユーザＩＤおよび／またはパスワードなどに関連づけて、ホームページ画面に係る情報を記憶している。
ツールキットデータベース１４ｂは、図３（図３（ｃ）を除く）〜図６に示した入力画面に係る情報、さらに、図９〜図１４（図１３を除く）に示した閲覧画面に係る情報を記憶している。
また、制御手段１６は、ＣＧＩ（Ｃｏｍｍｏｎ  Ｇａｔｅｗａｙ  Ｉｎｔｅｒｆａｃｅ）を有し、このＣＧＩは、ホームページ作成者やホームページ閲覧者が所持する、通信端末のＷｅｂブラウザからの要求に従い、Ｗｅｂサーバ１２と、データベース１４との間で連携して、処理を行うためのインタフェースであり、１種のプログラムである。
この制御手段１６は、具体的には、通信端末判別ＣＧＩ  １６ａ、ホームページデータ登録用ＣＧＩ  １６ｂ、ホームページ閲覧用ＣＧＩ  １６ｃとからなる。
通信端末判別ＣＧＩ  １６ａは、後述するホームページ登録段階またはホームページ閲覧段階における、記述言語認識段階で使用される。
通信端末判別ＣＧＩ  １６ａは、通信端末のＷｅｂブラウザからの要求によりＷｅｂサーバを介して起動されて、
（ａ１）通信端末から発せられる通信端末機種情報に基づき、通信端末の機種を識別しその記述言語を認識する機能と、
（ａ２）その判別情報に基づき、アクセスしている通信端末に対する画面表示に必要な記述言語の選定を行う機能、さらには
（ａ３）選定された記述言語に基づいてタブと呼ばれる画面表示のための予約語を提供する機能、などをＷｅｂサーバ１２に実行させる。
ホームページデータ登録用ＣＧＩ  １６ｂは、後述するホームページ登録段階における、記述言語認識段階以降に使用される。
ホームページデータ登録用ＣＧＩ  １６ｂは、通信端末のＷｅｂブラウザからの要求によりＷｅｂサーバを介して起動されて、
（ｂ１）通信端末に登録画面を表示させるために、文字、画像、音声などのコンテンツと、予約語とを組み合わせたファイルを生成する機能、
（ｂ２）ホームページ作成者に、この作成者の通信端末に表示された登録画面において、各入力項目に入力データを入力させ、次いで送信ボタンを押させることにより、データを送信させる。ホームページ作成者からデータが受信されると、入力データをデータベース１４に格納する際の適正を判断し、入力データ不足や誤入力などの入力データ違反による警告メッセージを表示させたり、適正に入力されたデータを画面表示させ登録者に確認させる確認画面を表示する機能、さらには
（ｂ３）適正に入力されたデータがＷｅｂサーバに送信されると、送信された入力項目と入力データを関連づけ、データベース管理システムの決められた部分に格納するための指示をする機能、などをＷｅｂサーバ１２に実行させる。
ホームページ閲覧用ＣＧＩ  １６ｃは、後述するホームページ閲覧段階における記述言語確認段階以降に使用される。
ホームページ閲覧用ＣＧＩ  １６ｃは、通信端末のＷｅｂブラウザからの要求によりＷｅｂサーバを介して起動されて、
（ｃ１）通信端末に検索画面や閲覧画面などを表示させるために文字や画像、音声などのコンテンツと、予約語とを組み合わせたファイルを生成する機能、
（ｃ２）閲覧者が希望するホームページを特定するデータを、ハイパーリンクやキーワード検索などの方法により収集し、データベース１４に対するクエリー（処理要求）を実行する機能、さらには
（ｃ３）クエリーにより抽出されたデータを表示するために、文字、画像、音声などのコンテンツと、予約語とを組み合わせたファイルを生成する機能、などをＷｅｂサーバ１２に実行させる。
このような本発明のホームページ管理システム１０によれば、いずれの記述言語を用いた携帯電話機であっても、ホームページを作成し、ホームページデータを登録し、さらにホームページを閲覧することができる。
したがって、ホームページ作成に関して詳しい知識のない人でも、容易に携帯電話機向けのホームページを作成でき、さらに、容易に所望のホームページの閲覧をすることができる。
また、Ｗｅｂサーバ１２は、ミドルウェアを有することが好ましい。
このミドルウェアは、Ｗｅｂサーバ１２と通信端末（３２，３４，４２，４４，４６，４８）とを連動させて、これらの通信端末の規格やＯＳ（オペレーティング・システム）などの通信環境（インフラ）の違いに左右されずに、ネットワーク２０を介してホームページデータを送受信する機能を、Ｗｅｂサーバ１２に実行させる。
この前記ミドルウェアとしては、特に限定されないが、Ｊａｖａ（Ｒ）であることが好ましい。Ｊａｖａ（Ｒ）を用いることにより、Ｗｅｂサーバ１２は容易に上述の機能を発揮することができる。
さらに、Ｗｅｂサーバ１２は、アプレットを有することも好ましい。
このアプレットは、通信端末（３２，３４，４２，４４，４６，４８）にダウンロードされ、Ｗｅｂサーバ１２と、これら通信端末とを連動させて、通信端末の規格やＯＳなどの通信環境の違いに左右されずに、ネットワーク２０を介してホームページデータを送受信する機能を、該通信端末に実行させる。
このアプレットとしては、特に限定されないが、Ｊａｖａ（Ｒ）アプレットであることが好ましい。Ｊａｖａ（Ｒ）アプレットを用いることにより、通信端末は容易に上述の機能を発揮することができる。このとき、通信端末は、Ｊａｖａ仮想マシンを備えることにより、Ｊａｖａ（Ｒ）アプレットを実行することができる。
またさらに、Ｗｅｂサーバ１２は、プラグイン・ソフトを有することも好ましい。
このプラグイン・ソフトは、通信端末（３２，３４，４２，４４，４６，４８）にアドイン（プラグイン）され、Ｗｅｂサーバ１２と、これら通信端末とを連動させて、通信端末の規格やＯＳなどの通信環境の違いに左右されずに、ネットワーク２０を介してホームページデータを送受信する機能を、通信端末に実行させる。
このように、プラグイン・ソフトを通信端末にアドインさせることにより、通信端末のＷｅｂブラウザ自体の機能を拡張させることができる。
このように、Ｗｅｂサーバ１２と通信端末（３２，３４，４２，４４，４６，４８）が連動したネットワーク環境においては、通信端末のＯＳなどの通信環境（インフラ）の違いに左右されず、利用者に対し、ユーザ・インターフェイス、フォント表示、画像処理、画像登録、動画表示などにおいて画一的な利用環境を提供することができる。
このようなホームページ管理システム１０は、ホームページ作成者のホームページデータを保存するホームページデータ保存段階、およびホームページ閲覧者の要求に従いホームページデータを該閲覧者に送信するホームページ閲覧段階を実行する。
まず、ホームページデータ保存段階の実施の態様について、図面を参照しながら説明する。
＜ホームページデータ保存段階＞
本発明のホームページデータ保存段階は、図２に示したように、
ホームページ作成者が携帯電話機３２を用いて、ネットワーク２０を介してＷｅｂサーバ１２にアクセスしてきたときに、通信端末判別ＣＧＩ  １６ａが、アクセスしている携帯電話機３２の記述言語を認識する言語認識段階（ステップＳ１２）と、
前記言語認識段階において認識された記述言語に対応するログイン画面を、Ｗｅｂサーバ１２によりネットワーク２０を介してホームページ作成者の携帯電話機３２に送信するログイン画面送信段階（ステップＳ１４〜２０）と、
前記ログイン画面送信段階で送信したログイン画面をホームページ作成者の携帯電話３２に表示し、次いで、ホームページ作成者により、ログイン画面を用いて入力されたログインデータを送信させて、この送信されたログインデータを前記Ｗｅｂサーバ１２で受信するとともに、ホームページ作成者がシステム１０にログインするのを許可された者であるか否かをＷｅｂサーバ１２により判別するユーザ判別段階（ステップＳ２２）と、
前記ユーザ判別段階において、ホームページ作成者が、システムにログインするのを許可された者であると確認した場合には、前記言語認識段階で認識された記述言語に対応するホームページデータ入力画面を、Ｗｅｂサーバ１２によりネットワーク２０を介してホームページ作成者の携帯電話機３２に送信するデータ入力画面送信段階（ステップＳ２４）と、
前記データ入力画面送信段階で送信したデータ入力画面をホームページ作成者の携帯電話機３２に表示し、次いで、ホームページ作成者により、データ入力画面を用いて入力されたホームページデータを送信させて、この送信されたホームページデータをＷｅｂサーバ１２で受信するデータ受信段階（ステップＳ２６）と、
前記データ受信段階にて受信したホームページデータを、ホームページデータ登録用ＣＧＩ  １６ｂの指示に従い、ホームページ作成者に付与されたログインデータと関連づけるとともに、データベース１４に格納するデータ保存段階（ステップＳ２８）と、を有する。
図２において、ステップＳ１２では、ホームページ作成者が携帯電話機３２を用いてＷｅｂサーバ１２にアクセスすると携帯電話機３２の記述言語が認識される。本実施例においては、携帯電話機３２を用いた例によって説明するが、ＰＤＡ３４であってもよい。
具体的には、ホームページ作成者が携帯電話機３２を用いてホームページ管理システム１０のＷｅｂサーバ１２にアクセスすると、通信端末判別ＣＧＩ  １６ａが起動し、携帯電話機３２の記述言語を認識する。
以下の説明において、ホームページ管理システム１０から、ホームページ作成者の携帯電話機３２に送信する画面は、ステップＳ１２において認識された記述言語に対応する画面である。
ホームページ作成者の携帯電話機３２の記述言語を認識すると、ステップＳ１４に進み、ホームページサービス内容を選択させる画面を、ホームページ作成者の携帯電話機３２に送信する。
具体的には、ホームページ作成者が携帯電話機３２を用いてホームページ管理システム１０にアクセスすると、図３（ａ）に示すホームページ管理システム１０のＴＯＰページ画面５０を、Ｗｅｂサーバ１２により、ネットワーク２０を介してホームページ作成者の携帯電話機３２に送信する。
このＴＯＰページ画面５０には、図３（ａ）に示すように、新規登録ボタン５２、ログインボタン５４、検索ボタン５６が表示され、ホームページ作成者に新規登録ボタン５２、ログインボタン５４のいずれかを選択させる。
検索ボタン５６が選択される場合については、「ホームページ閲覧段階」において説明する。
具体的には、ホームページ作成者が、ホームページ管理システム１０にホームページを有していないと判断した場合には、新規登録ボタン５２を選択させる。
新規登録ボタン５２が選択されると、ステップＳ１６に進み、Ｗｅｂサーバ１２が、選択されたホームページサービス内容を受信する。
Ｗｅｂサーバ１２が、ホームページサービス内容を受信するとステップＳ１８に進み、ホームページ作成者が、ホームページ管理システム１０にホームページを有しているか否かを判別する。
この判別結果がＮｏ、すなわちホームページ作成者が、ホームページ管理システム１０にホームページを有していないと判別された場合にはステップＳ２０に進む。
一方、この判別結果がＹｅｓ、すなわちホームページ作成者が、ホームページ管理システム１０にホームページを有していると判別された場合にはステップＳ２２に進む。ステップＳ２２については後述する。
ステップＳ２０においては、ホームページ作成者に対し認証データの発行を行う。
具体的には、ホームページ管理システム１０は、ステップＳ１２で認識された記述言語に対応する、図３（ｂ）に示すメールアドレス送信画面５８を、ホームページ作成者の携帯電話機３２の表示部に表示する。
図３（ｂ）に示すように、メールアドレス送信画面５８には、「メールアドレスを記入し、送信して下さい」と記載され、メールアドレス入力窓６０、送信ボタン６２が表示されている。
ホームページ作成者が、メールアドレス入力窓６０を選択し、ホームページ作成者の携帯電話機のメールアドレスを入力する。次いで、ホームページ作成者は送信ボタン６２をクリックする。
送信ボタン６２がクリックされると、ホームページ作成者のメールアドレスがホームページ管理システム１０に送信される。
電子メールサーバがホームページ作成者からのメールを受信し、ホームページ作成者の携帯電話機３２のメールアドレスが確認されると、ホームページ作成者の携帯電話機のメールアドレスに関連付けて、ユーザＩＤとパスワードを顧客管理データベース１４ａに登録する。
次いで、ステップＳ１２で認識された記述言語に対応する「ユーザ登録電子メール」を、電子メールサーバによりホームページ作成者の携帯電話機に送信する。この「ユーザ登録電子メール」には、ホームページ作成者に付与されたユーザＩＤとパスワードが記載されている。
送信の結果、ホームページ作成者の携帯電話機３２には、ユーザ登録電子メールが届いた旨が通知され、ホームページ作成者が電子メールを表示させると、図３（ｃ）に示すユーザ登録電子メール画面６４が表示される。
ユーザ登録電子メール画面６４には、「あなたのユーザＩＤとパスワードです」と記載され、ホームページ管理システム１０がホームページ作成者に設定したユーザＩＤ６６とパスワード６８が表示され、ホームページ作成者に確認させる。
ホームページ作成者は、ユーザＩＤ６６とパスワード６８を確認すると、ステップＳ１４に戻り、ホームページ管理システム１０にアクセスする。ホームページ管理システム１０は、再度、図３（ａ）に示すホームページ管理システムのＴＯＰページ画面５０をホームページ作成者の携帯電話機３２に表示させる。次いで、ホームページ作成者にログインボタン５４を選択させて、ホームページ管理システム１０にログインさせる。
一方、ステップＳ１４において、ホームページ作成者が、ホームページ管理システム１０にホームページを有していると判断した場合には、同様に、ログインボタン５４を選択させて、ホームページ管理システム１０にログインさせる。
具体的には、ホームページ作成者がログインボタン５４を選択すると、まず、図４（ａ）に示すログイン画面７０を、Ｗｅｂサーバ１２によりネットワーク２０を介してホームページ作成者の携帯電話機３２に送信し、表示させる。
ログイン画面７０には、ユーザＩＤ入力窓７２、パスワード入力窓７４、ＯＫボタン７６が表示されている。
ホームページ作成者により、ユーザＩＤ入力窓７２、パスワード入力窓７４を選択させ、ホームページ作成者に設定されたユーザＩＤ、パスワードを入力させ、ＯＫボタン７６をクリックさせる。
ＯＫボタン７６がクリックされると、ステップＳ２２に進み、ホームページ管理システム１０はＷｅｂサーバ２０により、ユーザＩＤとパスワードを受信し、ホームページ作成者が、ホームページ管理システム１０にログインするのを許可された者か否かを判別する。
具体的には、Ｗｅｂサーバ２０により受信された、ユーザＩＤとパスワードを、顧客管理データベース１４ａに管理されているユーザＩＤ、パスワードと対比し、一致するか否かにより判別する。
この判別の結果がＹｅｓ、すなわちホームページ管理システム１０にログインするのを許可された者であると、判別された場合にはステップＳ２４に進み、ホームページデータを入力させる。
一方、この判別の結果がＮｏ、すなわちホームページ管理システム１０にログインするのを許可されていない者であると判別された場合には、認証データの確認を促す画面が表示される。
具体的には、図４（ｂ）に示すような認証データ確認画面７８が表示され、この画面には、「ログインできません！ユーザＩＤとパスワードを確認して下さい。」と記載され、ＯＫボタン８０が表示されている。
ホームページ作成者により、ＯＫボタン８０がクリックされると、ステップＳ１４に戻り、図３（ａ）に示すホームページ管理システム１０のＴＯＰページ画面５０をホームページ作成者の携帯電話機３２の表示部に再び表示させる。
ステップＳ２４においては、ホームページデータ入力画面を、Ｗｅｂサーバ１２によりネットワーク２０を介して、ホームページ作成者の携帯電話機３２に送信する。
まず、ホームページ作成者がホームページ作成（または更新）しようとするホームページデータが属する分野（メニュー）を選択させる。ホームページが属する分野が選択されると、ステップＳ２６に進み、入力画面に入力されたホームページデータをＷｅｂサーバ１２が受信する。
具体的には、図４（ｃ）に示すようなメニュー選択画面８２をホームページ作成者の携帯電話機３２の表示部に表示させ、所望の分野が記載されているボタン上でクリックさせる。
メニュー選択画面８２には、「メニューを選択して下さい」と記載され、（１）プロフィール、（２）アルバム、（３）日記、（４）趣味、（５）フリーマーケット、（６）プレゼント、などのメニューボタンが表示されている。ホームページ作成者は、ホームページを作成しようとする所望の分野（メニュー）を選択し、選択したメニューボタンをクリックする。
このように所望の分野がホームページ作成者によって選択されると、Ｗｅｂサーバ１２は、図５（ａ）に示す入力画面を携帯電話３２に送信して、表示させる。
図５（ａ）に示すように、入力画面には、「名前」、「タイトル」、「メッセージ」を入力する選択窓が表示され、各選択窓を選択することにより、各項目の入力画面（図示せず）が表示される。各項目を入力した後、確定ボタンをクリックすると、図５（ａ）の入力画面に戻り、ホームページ作成者にＯＫボタン８６をクリックさせる。
ＯＫボタン８６がクリックされると、Ｗｅｂサーバ１２は、ネットワーク２０を介して、ホームページ作成者の通信端末に図５（ｂ）に示すような背景選択画面８８を表示させる。
具体的には、背景選択画面８８には、「壁紙を選択して下さい」、「壁紙の色を選択して下さい」と記載され、壁紙ボタン９０、色ボタン９２、ＯＫボタン９４が表示されている。
壁紙選択ボタン９０、色選択ボタン９２がクリックされることにより、各種の壁紙や、壁紙の色が表示されるようになっており、所望の壁紙や、壁紙の色を選択させる。
ホームページ作成者によって、壁紙や壁紙の色が選択され、ＯＫボタン９４がクリックされると、ホームページに掲載する画像があるか否かを判断させる。
具体的には、図５（ｃ）に示すような「画像がありますか？」と表示された画像確認画面９６を、Ｗｅｂサーバ１２によりネットワーク２０を介して、ホームページ作成者の携帯電話機３２に送信し、その表示部に表示させる。
ホームページ作成者によりＹｅｓボタン９８が選択されたときには、ホームページ作成者が所有する携帯電話機３２のメール作成機能を利用して、送信メール画面（図示せず）を表示させ、掲載したい所望の画像を添付して送信させ、ステップＳ２８に進む。
一方、図５（ｃ）に示す画像確認画面９６において、Ｎｏボタン１００が選択されたときには、掲載したい所望の画像はないと判断され、ステップＳ２８に進む。
ステップＳ２８においては、図４，５において、選択され、かつ入力されたホームページデータが、顧客管理データベース１４ａに保存される。
具体的には、ホームページデータ登録用ＣＧＩ  １６ｂにより、図７に示すように、ホームページデータが、前記ホームページ作成者に付与されたユーザＩＤ、ユーザパスワードと、前記選択段階においてホームページ作成者に選択された入力データ分類とに関連づけて、顧客管理データベース１４ａに格納する。
ステップＳ２８において、ホームページデータが顧客管理データベース１４ａに保存されると、ホームページデータの登録が終了する。
具体的には、図６に示すような、「登録が完了しました！」と記載された登録完了画面１０２を、Ｗｅｂサーバ１２によりネットワーク２０を介して、ホームページ作成者の携帯電話機３２に送信し、その表示部に表示させる。
また、図６に示す画面に、ステップＳ２４に戻るための所定のボタンを表示し、このボタンをクリックさせることにより、さらにホームページデータを入力させるようにすることもできる。
本発明のホームページ管理システムにおいては、上記のように、ホームページが、個々のホームページデータとして管理されているため、ホームページ全体を書き換える必要がなく、容易にホームページを管理することができる。
また、ホームページデータがデータベースを用いて管理されているため多くの情報を保存管理し、要求に応じて動的にファイルを生成することができる。
さらに、規格（記述言語）の違う携帯電話機を使用しても、手軽にホームページを作成でき、しかも詳しい知識のない人でも容易に携帯電話機向けのホームページを作成することができる。
またさらに、ホームページ管理システムは、データベースとＣＧＩを活用することにより、携帯電話機等の限られた操作環境においても簡単にホームページを作成することができる。
一方、本発明の別の実施態様においては、前述したように、ホームページ管理システム１０のＷｅｂサーバ１２と、通信端末３２，３４とを連動させて、通信端末の規格やＯＳなどの通信環境の違いに左右されずに、ネットワーク２０を介してホームページデータを送受信することも可能である。
このようなホームページ管理システム１０によれば、上記ホームページデータ保存段階の各ステップは、通信端末の規格やＯＳなどの通信環境の違いに左右されずに実行することができ、ホームページ登録者に対し、ユーザ・インターフェイス、フォント表示、画像処理、画像登録、さらに動画表示などにおいて画一的な利用環境を提供することができる。
＜ホームページ閲覧段階＞
（第１の実施態様）
本発明のホームページ閲覧段階の第１の実施態様は、図８に示したように、
ホームページ閲覧者が携帯電話４２を用いて、要求するホームページが特定されるデータを、ネットワーク２０を介して送信したときに、通信端末判別ＣＧＩ  １６ａにより、携帯電話機４２の記述言語を判別するとともに、Ｗｅｂサーバ１２により、ホームページ閲覧者が要求するホームページを特定するデータを受信する特定データ受信段階（ステップＳ４２）と、
前記特定データ受信段階で受信したホームページ特定データにより特定されるホームページが、データベース１４に登録されているか否かをＷｅｂサーバ１２により判別するホームページ判別段階（ステップＳ４４）と、
前記ホームページ判別段階にて、ホームページがデータベース１４に登録されていると判別したときには、ホームページデータ閲覧用ＣＧＩ  １６ｃの指示に従いＷｅｂサーバ１２がデータベース１４からホームページデータを抽出し、抽出されたホームページデータをネットワーク２０を介して、前記ホームページ閲覧者の携帯電話機４２に送信するホームページ送信段階（ステップＳ４６）と、を有する。
図８においてステップＳ４２では、ホームページ閲覧者に、携帯電話機４２を用いて、特定のホームページアドレスをネットワーク２０を介して送信させ、Ｗｅｂサーバ１２がホームページアドレスを受信する。さらに、通信端末判別ＣＧＩ  １６ａがホームページアドレスを受信する際に、アクセスしている携帯電話機４２の記述言語を判別する。
以下の説明において、ホームページ管理システム１０から、ホームページ閲覧者の携帯電話機４２に送信する画面は、ステップＳ４２において認識された記述言語に対応する画面である。
本実施例においては、携帯電話機４２を用いた例によって説明するが、ＰＤＡ４４、またはパーソナル・コンピューター４６、ゲーム機器４８であってもよい。
このように、通信端末判別ＣＧＩ  １６ａが携帯電話機４２の記述言語を認識すると、ステップＳ４４に進む。
ステップＳ４４では、ホームページ閲覧者が要求する、特定のホームページアドレスが、顧客管理データベース１４ａに存在するか否か判別する。
その結果がＹｅｓ、つまり入力されたホームページアドレスに対応するホームページが存在すると判別されたときには、ステップＳ４６に進む。
一方、その結果がＮｏ、つまり入力されたホームページアドレスに対応するホームページが存在しないと判別されたときには、ステップＳ４４で判別された記述言語で作成された画面を表示させる。
具体的には、「指定されたサイトは存在しません」と記載された画面（図示せず）を表示させ、ホームページ閲覧者はホームページを閲覧することなく終了する。この原因としては、「ページが既に存在しない」、「ページが移動したか、ページの名前が変更された」、「ページのＵＲＬが間違っている」などの原因が考えられる。
ステップＳ４６においては、ホームページ閲覧者から要求されるホームページアドレスに該当するホームページ画面を、Ｗｅｂサーバ１２によりネットワーク２０を介して、ホームページ閲覧者の携帯電話機４２に送信し、その表示部に表示させる。
具体的には、図９（ａ）に示すホームページ画面１１０が表示され、画面１１０には、「○○○○のホームページへようこそ！」と記載され、所定の写真とともに、ホームページメニューが表示される。
ホームページメニューとしては、上述のホームページ登録段階において分類された、（１）プロフィール、（２）アルバム、（３）日記、（４）趣味、（５）フリーマーケット、（６）プレゼント、などのボタンが表示される。
例えば、ホームページ閲覧者によって、「（１）プロフィール」のボタンがクリックされると、Ｗｅｂサーバ１２のホームページ閲覧用ＣＧＩ  １６ｃが、表示ホームページのＩＤと「プロフィール」のＩＤによりデータベース１４に対するクエリーを生成し、ＷＥＢサーバ１２に送信する。ホームページ閲覧用ＣＧＩ  １６ｃの指示により、Ｗｅｂサーバ１２が、顧客管理データベース１４ａから所望の「プロフィール」に関する項目とそれに対応する内容のデータを抽出し、ホームページ閲覧用ＣＧＩ  １６ｃが、それらを画面表示させるために予約語を組み合わせてファイルを生成し、ＷＥＢサーバ１２を通じて通信端末に送信して、図９（ｂ）に示されるような、ホームページ作成者のプロフィール画面１１２を表示させる。また、プロフィール画面１１２には、写真が掲載されていても良い。
また、ホームページ閲覧者によって、ホームページメニュー（２）〜（６）のボタンがクリックされると、上記と同様にして、ホームページ閲覧者の通信端末に、所定の画面を表示させることができる。
本実施例においては、「（２）アルバム」ボタン、「（３）日記」ボタン、「（６）プレゼント」ボタンがクリックされると、ホームページ閲覧者が、ホームページの「アルバムのページ」、「日記のページ」または「プレゼントのページ」の閲覧が許可された者であるか否かを判別することが好ましい。
具体的には、ホームページ閲覧者の携帯電話機４２に、ネットワーク２０を介して、図９（ｃ）に示すような認証画面１１４を送信し、表示させる。
この認証画面１１４には、「ユーザＩＤ、パスワードを入力して下さい」と記載され、ユーザＩＤ入力窓１１６、パスワード入力窓１１８、ＯＫボタン１２０が表示される。
ホームページ閲覧者は、ユーザＩＤ入力窓１１６、パスワード入力窓１１８を選択し、各々にユーザＩＤ、パスワードを入力し、ＯＫボタン１２０をクリックする。
本実施例においては、ユーザＩＤとパスワードとを入力させる例を示すが、ユーザＩＤ、またはパスワードのいずれか一方であってもよい。ユーザＩＤ、パスワードは、このホームページを作成した者に付与されたものでもよく、また、「アルバムのページ」、「日記のページ」または「プレゼントのページ」を閲覧するために設定されたものであってもよい。
図９（ｃ）に示す認証画面１１４において、ホームページ閲覧者によりＯＫボタン１２０がクリックされると、Ｗｅｂサーバ１２がユーザＩＤ、パスワードを確認し、ホームページ閲覧者が「アルバムのページ」、「日記のページ」または「プレゼントのページ」へのアクセスが許可された者か否かを判別する。
判別の結果、ユーザＩＤ、パスワードが正しいと判断されると、ネットワーク２０を介して、アルバム画面、日記画面、プレゼント選択画面を送信し、ホームページ閲覧者の携帯電話機４２の表示部に表示させる。一方、ユーザＩＤ、パスワードが正しくないと判断されると、再び、ホームページ画面１１０を表示させる。
このアルバム画面は、特に限定されないが、ホームページ作成者が知り合いなどに公開したいと考える写真などが掲載される。
具体的には、図１０（ａ）のアルバム画面１２２に示すように、ホームページ作成者が公開した写真に対応する「子供の写真」、「家族写真」、「旅行写真」のボタンが表示されている。具体的には、所望のボタン、例えば「子供の写真」がクリックされると、ホームページ閲覧用ＣＧＩ  １６ｃの指示に従い、Ｗｅｂサーバ１２がホームページデータ顧客管理データベース１４ａにアクセスし、保存されている子供の写真を検索し、携帯電話機４２の表示部に表示させる。
また、日記画面には、特に限定されないが、ホームページ作成者が知り合いなどに近況を報告したいと考える内容が掲載される。
具体的には、図１０（ｂ）の日記画面１２４に示すように、ホームページ作成者が記載した「１／１０  今日はスキーをした。・・・・」、「３／１０  今日は私の誕生日でした。・・・・」といった内容が公開されており、ホームページ作成者は、公開しようとする所望の日記を掲載することができる。日記は、写真とともに掲載してもよく、また日記の所望の位置に写真ボタンを表示させ、ボタンをクリックさせることにより、写真が表示されるようにすることも好ましい。
また、プレゼント画面は、特に限定されないが、特定の相手に送る誕生日プレゼントを迷っている場合や、結婚祝や出産祝に何を送って良いか分からない場合など、相手にプレゼントする際に迷った場合に利用される。ホームページ作成者は複数の商品を写真で撮影して、ホームページに掲載し、このようなプレゼント画面を、特定の相手に公開することにより、相手にどれが欲しいか選んでもらうことができる。
具体的には、図１１（ａ）のプレゼント選択画面１２６には、「気に入ったプレゼントを選んでください！」と記載され、「（１）指輪」ボタン、「（２）バッグ」ボタン、「（３）ネックレス」ボタン、「（４）服」ボタン、が表示されている。
例えば、図１１（ａ）のプレゼント選択画面１２６において、ホームページ閲覧者により「（１）指輪」ボタンがクリックされると、Ｗｅｂサーバ１２によりネットワーク２０を介して図１１（ｂ）に示されるプレゼント画面１２８がホームページ閲覧者の携帯電話機４２に送信され、表示される。
プレゼント画面１２８には、「君が欲しがっていた、ダイヤの指輪を見つけました。気に入ったらＯＫボタンを押して下さい。」と記載され、そのダイヤの指輪の写真１３０とともに、ＯＫボタン１３２、戻るボタン１３４が表示されている。
ホームページ閲覧者がそのダイヤの指輪を気に入った場合には、ＯＫボタン１３２をクリックさせる。ＯＫボタン１３２がクリックされると、ホームページ閲覧者の携帯電話機４２のメーラーが起動し、メール画面（図示せず）が表示される。ホームページ閲覧者は、表示されたメール画面の本文中にプレゼント希望のメッセージを記入して、送信する。
このメールは、電子メールサーバで受信され、ホームページ管理システム１０から、このホームページの作成者に転送されるようになっている。このホームページの作成者は、このメールを確認し、プレゼントを決めることができる。
また、図１１（ｂ）に示されるプレゼント画面１２８において、ホームページ閲覧者がそのダイヤの指輪を気に入らなかった場合には、戻るボタン１３４をクリックする。戻る１３４がクリックされると、再び図１１（ａ）のプレゼント選択画面１２６が表示され、ホームページ閲覧者は他のボタンをクリックして、他のプレゼント画面を表示させる。
このように、ホームページ閲覧者が「アルバムのページ」「日記のページ」または「プレゼントのページ」にアクセスする際に、ユーザＩＤ、パスワードを入力させることにより、ホームページ作成者が希望する特定の者にのみ、ホームページに掲載されたこれらページを公開することができる。
また、図９（ａ）に示すホームページ画面１１０において「（５）フリーマーケット」のボタンがクリックされると、ネットワーク２０を介して、図１２（ａ）に示されるような、フリーマーケット画面１３６を送信し、携帯電話機４２の表示部に表示させる。
具体的には、フリーマーケット画面１３６には、「１．テレビ」、「２．パソコン」、「３．Ｇパン」などのボタンが表示されている。
例えば「２．パソコン」ボタンがホームページ閲覧者によりクリックされると、図１２（ｂ）に示されるような、「パソコン売ります。価格は５万円です！購入希望の人はメールを下さい！」と記載され、売却するパソコンの写真１４０が表示されたパソコン売却画面１３８をホームページ閲覧者の携帯電話４２に表示される。
このパソコン売却画面１３８には、メールボタン１４２が表示され、ホームページ閲覧者が購入を希望する場合には、メールボタン１４２をクリックさせる。
メールボタン１４２がクリックされると、ホームページ閲覧者の携帯電話機４２のメーラーが起動し、表示されたメール画面（図示せず）の本文中に購入希望のメッセージを記入させて、送信させる。
このメールは、電子メールサーバで受信され、ホームページ管理システム１０から、このホームページの作成者に転送されるようになっている。このホームページの作成者は、このメールを確認し、売却を決定した人に、その旨をメールで知らせる。
また、図１２（ｂ）に示されるようなパソコン売却画面１２８において、メールボタン１４２に変えて、「書き込みボタン」が表示されていることも好ましい。
この場合、購入希望者が、書き込みボタンをクリックすると、ホームページ閲覧者の携帯電話機４２に、図１２（ｃ）に示されるような書き込み画面１４４が表示される。
具体的には、書き込み欄１４６が表示され、「私は、６万円で買います。」「８万円までなら払います」などと、他人がホームページに書き込みをした内容が記載されている。購入者は、この書き込みを参考にして、購入金額の交渉をすることができる。
ホームページ閲覧者に、書き込み欄１４６でクリックさせることにより、ホームページに書き込みができるようになっている。
ホームページ閲覧者が書き込みをし、ＯＫボタン１４８をクリックすると、書き込み内容がネットワーク２０を介して、Ｗｅｂサーバ１２で受信され、ホームページデータ登録用ＣＧＩ  １６ｂの指示により、Ｗｅｂサーバ１２が顧客管理データベース１４ａに、書き込みの内容を登録し、書き込み画面１４４に記載されるようになる。
このようにして、ホームページ画面が送信される（ステップＳ４６）と、本実施例であるホームページ閲覧段階の第１の実施態様は終了する。
（第２の実施態様）
本発明のホームページ閲覧段階の第２の実施態様は、図１３に示したように、
ホームページ閲覧者の携帯電話機４２を、ネットワーク２０を介してＷｅｂサーバ１２にアクセスさせ、アクセスしている携帯電話機４２の記述言語を通信端末判別ＣＧＩにより認識する言語認識段階（ステップＳ５２）と、
前記言語認識段階で認識された記述言語に対応する、ホームページを特定させるため入力画面を、Ｗｅｂサーバ１２によりネットワーク２０を介して携帯電話機４２に送信するホームページ特定画面送信段階（ステップＳ５４）と、
前記ホームページ特定画面送信段階で送信したホームページ特定画面をホームページ閲覧者の携帯電話機４２の表示部に表示させ、次いで、このホームページ特定画面を用いて入力させた特定のホームページを示すホームページ特定データを送信させて、この送信させたホームページ特定データをＷｅｂサーバ１２で受信する特定データ受信段階（ステップＳ５６）と、
前記特定データ受信段階で受信したホームページ特定データにより特定されるホームページが、データベースに登録されているか否かを、ホームページデータ閲覧用ＣＧＩの指示に従いＷｅｂサーバにより検索するホームページ検索段階（ステップＳ５８）と、
前記ホームページ検索段階で検索された検索結果を、Ｗｅｂサーバ１２によりネットワーク２０を介してホームページ閲覧者の携帯電話機４２に送信する検索結果送信段階（ステップＳ６０）と、
前記検索結果送信段階で送信した検索結果画面を、ホームページ閲覧者の携帯電話機４２に表示するとともに、ホームページ閲覧者により、この検索結果から選択された所望のホームページの選択結果を送信させて、この選択結果を前記Ｗｅｂサーバ１２で受信する選択結果受信段階（ステップＳ６２）と、
前記選択結果受信段階にて、選択された結果に基づきホームページデータ閲覧用ＣＧＩ  １６ｃの指示に従いＷｅｂサーバ１２がデータベース１４からホームページデータを抽出し、抽出されたホームページデータをネットワーク２０を介して、ホームページ閲覧者の携帯電話機４２に送信するホームページ送信段階（ステップＳ４６）と、を有する。
本実施例においては、携帯電話機４２を用いた例によって説明するが、ＰＤＡ４４、パソコン４６、ゲーム機器４８であってもよい。
図１３において、ステップＳ５２では、ホームページ閲覧者に携帯電話機４２を用いてアクセスさせて、携帯電話機４２の記述言語を認識する。
具体的には、ホームページ閲覧者が携帯電話機４２を用いてホームページ管理システム１０アクセスすると、通信端末判別ＣＧＩ  １６ａが起動し、携帯電話機４２の記述言語を認識する。
以下の説明において、ホームページ管理システム１０から、ホームページ閲覧者の携帯電話機４２に送信する画面は、ステップＳ５２において認識された記述言語に対応する画面である。
ホームページ作成者の通信端末の記述言語が認識されると、ステップＳ５４に進み、ホームページサービス内容を選択させる画面を送信する。
具体的には、ホームページ作成者に携帯電話機によりホームページ管理システム１０にアクセスさせて、図１４（ａ）に示すホームページ管理システム１０のＴＯＰページ画面５０を、Ｗｅｂサーバ１２によりネットワーク２０を介してホームページ閲覧者の携帯電話機４２に送信する。
このＴＯＰページ画面５０には、図１４（ａ）に示すように、新規登録ボタン５２、ログインボタン５４、検索ボタン５６が表示され、ホームページ閲覧者に検索ボタン５６をクリックさせる。
検索ボタン５６がクリックされると、キーワード検索画面１５０を、Ｗｅｂサーバ１２によりネットワーク２０を介してホームページ閲覧者の携帯電話機４２に送信する。
このキーワード検索画面１５０には、名前記入窓１５２、タイトル記入窓１５４、メッセージ記入窓１５６が表示され、さらにＯＫボタン１５８が表示されている。
具体的には、ホームページ閲覧者は、所望の記入窓を選択し、キーワードを記入する。このとき、名前記入窓１５２、タイトル記入窓１５４、メッセージ記入窓１５６のうちの少なくとも１つにキーワードを記載する。記入後、ＯＫボタン１５８をクリックさせることにより、所定のキーワードが送信され、ステップＳ５６に進む。
ステップＳ５６では、Ｗｅｂサーバ１２が入力されたキーワードを受信し、ステップＳ５８に進む。
ステップＳ５８では、ホームページ閲覧用ＣＧＩ  １６ｃが所定のキーワードをもとにデータベース１４に対するクエリーを生成し、ホームページがデータベース１４に存在するか否か判断する。
検索の結果がＹｅｓ、すなわちホームページがデータベース１４に存在しており、検索されたときにはステップＳ６０に進む。
一方、検索の結果がＮｏ、すなわちホームページがデータベース１４に存在しておらず、検索されなかったとき（検索結果０件）には、ステップＳ５４に戻り、キーワード検索画面１５０がホームページ閲覧者の通信端末に表示される。
ステップＳ６０では、ステップＳ５８における検索結果を、Ｗｅｂサーバ１２によりネットワーク２０を介してホームページ閲覧者の携帯電話４２に送信し、表示させる。
具体的には、図１４（ｃ）に示すような検索結果画面１６０が表示される。検索結果画面１６０には、「検索結果  １００件中１〜１０件を表示」と記載され、検索の結果、１００件のホームページが検索され、そのうち１０件を表示している旨が記載されている。
ここで、ホームページ閲覧者にいずれか１つのホームページを選択させることにより、上述の実施態様１のステップＳ４６と同様に、ホームページ画面を送信する。このようにして、本実施例の第２の実施態様であるホームページ閲覧段階は終了する。
一方、ホームページ閲覧段階の別の実施態様においては、前述したように、ホームページ管理システム１０のＷｅｂサーバ１２と、通信端末４２，４４，４６，４８とを連動させて、通信端末の規格やＯＳなどの通信環境の違いに左右されずに、ネットワーク２０を介してホームページデータを送受信することも可能である。
このようなホームページ管理システム１０によれば、上記ホームページデータ閲覧段階の各ステップは、通信端末の規格やＯＳなどの通信環境の違いに左右されずに実行することができ、ホームページ閲覧者に対し、ユーザ・インターフェイス、フォント表示、画像処理、画像登録、さらに動画表示などにおいて画一的な利用環境を提供することができる。
なお、本発明の目的を逸脱しない範囲で適宜変更した構成も、本発明の範囲に属するものと理解される。
本発明のホームページ管理システムにおいては、上記のように、ホームページが、個々のホームページデータとして管理され、さらにデータベースを用いて管理されているため、多くの情報を多角的・動的に閲覧することができる。
さらに、規格（記述言語）の違う携帯電話機を使用しても、容易にホームページを閲覧できる。
このように、本発明のホームページ管理システムは、上述のようなホームページデータ登録段階、およびホームページ閲覧段階を実行することが可能であり、携帯電話機等の利用法を劇的に変化させることができる。
【産業上の利用可能性】  以上のように、本発明によれば、ＣＧＩの技術を活用することにより、携帯電話機等の限られた操作環境においても簡単にホームページを作成でき、しかも一度ホームページを作成するだけで、異なる規格（記述言語）である３社（日本の携帯電話会社：ＮＴＴドコモ、Ｊ−ＰＨＯＮＥ、ａｕ）の携帯電話機でも、同時にホームページを登録・閲覧できるホームページ管理システムを提供することができる。また、高度なデータベース技術を活用することにより、大量のホームページを一括管理することができ、大きなコミュニティーを提供することが可能となる。さらに、データベース管理システムを採用することによりデータ更新時のデータ破損、システムのダウンなどのシステム上のトラブルが解消され、安定したシステムの提供によりプライベートホームページサービスを商用化することが可能となる。
そして何よりも、本発明のホームページ管理システムにより、個人が、携帯電話機向けのホームページを容易に開設することができ、これまで１対１のコミュニケーション（通信）手段としての携帯電話機が、２４時間対応の１対多数の情報発信（放送）基地となり、携帯電話機の利用法を劇的に変化させることができる。
【図１】
2004086237.tif 000003
【図２】
2004086237.tif 000004
【図３】
2004086237.tif 000005
【図４】
2004086237.tif 000006
【図５】
2004086237.tif 000007
【図６】
2004086237.tif 000008
【図７】
2004086237.tif 000009
【図８】
2004086237.tif 000010
【図９】
2004086237.tif 000011
【図１０】
2004086237.tif 000012
【図１１】
2004086237.tif 000013
【図１２】
2004086237.tif 000014
【図１３】
2004086237.tif 000015
【図１４】
2004086237.tif 000016
【国際調査報告】
2004086237.tif 000017
2004086237.tif 000018
2004086237.tif 000019
2004086237.tif 000020